【手続補正書】
【提出日】平成26年8月22日(2014.8.22)
【手続補正１】
【補正対象書類名】特許請求の範囲
【補正対象項目名】全文
【補正方法】変更
【補正の内容】
【特許請求の範囲】
【請求項１】
入力信号の帯域分割を行なって、前記入力信号の高域側の第１のサブバンドの第１のサブバンド信号を生成するサブバンド分割部と、
前記第１のサブバンド信号に基づいて、前記第１のサブバンド信号の第１のサブバンドパワーを算出する第１のサブバンドパワー算出部と、
より大きい前記第１のサブバンドパワーにより大きな重みがかかる演算を行なって、連続するいくつかの前記第１のサブバンドからなる第２のサブバンドの信号の第２のサブバンドパワーを算出する第２のサブバンドパワー算出部と、
前記第２のサブバンドパワーに基づいて、前記入力信号の高域信号を推定により得るためのデータを生成する生成部と、
前記入力信号の低域信号を符号化して低域符号化データを生成する低域符号化部と、
前記データと前記低域符号化データとを多重化して出力符号列を生成する多重化部と
を備える符号化装置。
【請求項２】
前記入力信号または前記低域信号から得られる特徴量に基づいて、前記第２のサブバンドパワーの推定値である擬似高域サブバンドパワーを算出する疑似高域サブバンドパワー算出部をさらに備え、
前記生成部は、前記第２のサブバンドパワーと前記擬似高域サブバンドパワーとを比較して、前記データを生成する
請求項１に記載の符号化装置。
【請求項３】
前記疑似高域サブバンドパワー算出部は、前記特徴量と、予め用意された推定係数とに基づいて前記擬似高域サブバンドパワーを算出し、
前記生成部は、複数の前記推定係数のうちの何れかを得るための前記データを生成する
請求項２に記載の符号化装置。
【請求項４】
前記データを符号化して高域符号化データを生成する高域符号化部をさらに備え、
前記多重化部は、前記高域符号化データと前記低域符号化データとを多重化して前記出力符号列を生成する
請求項１乃至請求項３の何れか一項に記載の符号化装置。
【請求項５】
前記第２のサブバンドパワー算出部は、前記第１のサブバンドパワーのｍ乗値の平均値を１／ｍ乗することにより前記第２のサブバンドパワーを算出する
請求項１乃至請求項４の何れか一項に記載の符号化装置。
【請求項６】
前記第２のサブバンドパワー算出部は、前記第１のサブバンドパワーが大きいほどより値が大きくなる重みを用いて、前記第１のサブバンドパワーの重み付き平均値を求めることにより前記第２のサブバンドパワーを算出する
請求項１乃至請求項４の何れか一項に記載の符号化装置。
【請求項７】
入力信号の帯域分割を行なって、前記入力信号の高域側の第１のサブバンドの第１のサブバンド信号を生成し、
前記第１のサブバンド信号に基づいて、前記第１のサブバンド信号の第１のサブバンドパワーを算出し、
より大きい前記第１のサブバンドパワーにより大きな重みがかかる演算を行なって、連続するいくつかの前記第１のサブバンドからなる第２のサブバンドの信号の第２のサブバンドパワーを算出し、
前記第２のサブバンドパワーに基づいて、前記入力信号の高域信号を推定により得るためのデータを生成し、
前記入力信号の低域信号を符号化して低域符号化データを生成し、
前記データと前記低域符号化データとを多重化して出力符号列を生成する
ステップを含む符号化方法。
【請求項８】
入力信号の帯域分割を行なって、前記入力信号の高域側の第１のサブバンドの第１のサブバンド信号を生成し、
前記第１のサブバンド信号に基づいて、前記第１のサブバンド信号の第１のサブバンドパワーを算出し、
より大きい前記第１のサブバンドパワーにより大きな重みがかかる演算を行なって、連続するいくつかの前記第１のサブバンドからなる第２のサブバンドの信号の第２のサブバンドパワーを算出し、
前記第２のサブバンドパワーに基づいて、前記入力信号の高域信号を推定により得るためのデータを生成し、
前記入力信号の低域信号を符号化して低域符号化データを生成し、
前記データと前記低域符号化データとを多重化して出力符号列を生成する
ステップを含む処理をコンピュータに実行させるプログラム。
【請求項９】
入力信号の高域側の第１のサブバンドの第１のサブバンドパワーのうち、より大きい前記第１のサブバンドパワーにより大きな重みがかかる演算が行なわれて、連続するいくつかの前記第１のサブバンドからなる第２のサブバンドの信号の第２のサブバンドパワーが算出され、前記第２のサブバンドパワーに基づいて生成された、前記入力信号の高域信号を推定により得るためのデータと、前記入力信号の低域信号を符号化して得られた低域符号化データとに、入力符号列を非多重化する非多重化部と、
前記低域符号化データを復号して低域信号を生成する低域復号部と、
前記データから得られた推定係数と、前記復号で得られた低域信号とに基づいて高域信号を生成する高域信号生成部と、
生成された高域信号と、前記復号で得られた低域信号とに基づいて出力信号を生成する合成部と
を備える復号装置。
【請求項１０】
前記高域信号生成部は、前記復号で得られた低域信号から得られた特徴量と前記推定係数とに基づいて、前記第２のサブバンドパワーの推定値を算出し、前記第２のサブバンドパワーの推定値と前記復号で得られた低域信号とに基づいて高域信号を生成する
請求項９に記載の復号装置。
【請求項１１】
前記データを復号して前記推定係数を得る高域復号部をさらに備える
請求項９または請求項１０に記載の復号装置。
【請求項１２】
前記入力信号または前記入力信号の低域信号から得られる特徴量に基づいて、前記第２のサブバンドパワーの推定値である擬似高域サブバンドパワーが算出され、前記第２のサブバンドパワーと前記擬似高域サブバンドパワーとが比較されて、前記データが生成される
請求項９乃至請求項１１の何れか一項に記載の復号装置。
【請求項１３】
前記入力信号または前記入力信号の低域信号から得られた特徴量と、予め用意された前記推定係数とに基づいて前記擬似高域サブバンドパワーが算出され、複数の前記推定係数のうちの何れかを得るための前記データが生成される
請求項１２に記載の復号装置。
【請求項１４】
前記第１のサブバンドパワーのｍ乗値の平均値を１／ｍ乗することにより前記第２のサブバンドパワーが算出される
請求項９乃至請求項１３の何れか一項に記載の復号装置。
【請求項１５】
前記第１のサブバンドパワーが大きいほどより値が大きくなる重みを用いて、前記第１のサブバンドパワーの重み付き平均値を求めることにより前記第２のサブバンドパワーが算出される
請求項９乃至請求項１３の何れか一項に記載の復号装置。
【請求項１６】
入力信号の高域側の第１のサブバンドの第１のサブバンドパワーのうち、より大きい前記第１のサブバンドパワーにより大きな重みがかかる演算が行なわれて、連続するいくつかの前記第１のサブバンドからなる第２のサブバンドの信号の第２のサブバンドパワーが算出され、前記第２のサブバンドパワーに基づいて生成された、前記入力信号の高域信号を推定により得るためのデータと、前記入力信号の低域信号を符号化して得られた低域符号化データとに、入力符号列を非多重化し、
前記低域符号化データを復号して低域信号を生成し、
前記データから得られた推定係数と、前記復号で得られた低域信号とに基づいて高域信号を生成し、
生成された高域信号と、前記復号で得られた低域信号とに基づいて出力信号を生成する
ステップを含む復号方法。
【請求項１７】
入力信号の高域側の第１のサブバンドの第１のサブバンドパワーのうち、より大きい前記第１のサブバンドパワーにより大きな重みがかかる演算が行なわれて、連続するいくつかの前記第１のサブバンドからなる第２のサブバンドの信号の第２のサブバンドパワーが算出され、前記第２のサブバンドパワーに基づいて生成された、前記入力信号の高域信号を推定により得るためのデータと、前記入力信号の低域信号を符号化して得られた低域符号化データとに、入力符号列を非多重化し、
前記低域符号化データを復号して低域信号を生成し、
前記データから得られた推定係数と、前記復号で得られた低域信号とに基づいて高域信号を生成し、
生成された高域信号と、前記復号で得られた低域信号とに基づいて出力信号を生成する
ステップを含む処理をコンピュータに実行させるプログラム。
【手続補正２】
【補正対象書類名】明細書
【補正対象項目名】発明の名称
【補正方法】変更
【補正の内容】
【発明の名称】符号化装置および方法、復号装置および方法、並びにプログラム
【手続補正３】
【補正対象書類名】明細書
【補正対象項目名】０００１
【補正方法】変更
【補正の内容】
【０００１】
本技術は符号化装置および方法、復号装置および方法、並びにプログラムに関し、特に、音質を向上させることができるようにした符号化装置および方法、復号装置および方法、並びにプログラムに関する。
【手続補正４】
【補正対象書類名】明細書
【補正対象項目名】０００８
【補正方法】変更
【補正の内容】
【０００８】
本技術の第１の側面の符号化装置は、入力信号の帯域分割を行なって、前記入力信号の高域側の第１のサブバンドの第１のサブバンド信号を生成するサブバンド分割部と、前記第１のサブバンド信号に基づいて、前記第１のサブバンド信号の第１のサブバンドパワーを算出する第１のサブバンドパワー算出部と、より大きい前記第１のサブバンドパワーにより大きな重みがかかる演算を行なって、連続するいくつかの前記第１のサブバンドからなる第２のサブバンドの信号の第２のサブバンドパワーを算出する第２のサブバンドパワー算出部と、前記第２のサブバンドパワーに基づいて、前記入力信号の高域信号を推定により得るためのデータを生成する生成部と、前記入力信号の低域信号を符号化して低域符号化データを生成する低域符号化部と、前記データと前記低域符号化データとを多重化して出力符号列を生成する多重化部とを備える。
【手続補正５】
【補正対象書類名】明細書
【補正対象項目名】００１４
【補正方法】変更
【補正の内容】
【００１４】
本技術の第１の側面の符号化方法またはプログラムは、入力信号の帯域分割を行なって、前記入力信号の高域側の第１のサブバンドの第１のサブバンド信号を生成し、前記第１のサブバンド信号に基づいて、前記第１のサブバンド信号の第１のサブバンドパワーを算出し、より大きい前記第１のサブバンドパワーにより大きな重みがかかる演算を行なって、連続するいくつかの前記第１のサブバンドからなる第２のサブバンドの信号の第２のサブバンドパワーを算出し、前記第２のサブバンドパワーに基づいて、前記入力信号の高域信号を推定により得るためのデータを生成し、前記入力信号の低域信号を符号化して低域符号化データを生成し、前記データと前記低域符号化データとを多重化して出力符号列を生成するステップを含む。
【手続補正６】
【補正対象書類名】明細書
【補正対象項目名】００１５
【補正方法】変更
【補正の内容】
【００１５】
本技術の第１の側面においては、入力信号の帯域分割が行なわれて、前記入力信号の高域側の第１のサブバンドの第１のサブバンド信号が生成され、前記第１のサブバンド信号に基づいて、前記第１のサブバンド信号の第１のサブバンドパワーが算出され、より大きい前記第１のサブバンドパワーにより大きな重みがかかる演算が行なわれて、連続するいくつかの前記第１のサブバンドからなる第２のサブバンドの信号の第２のサブバンドパワーが算出され、前記第２のサブバンドパワーに基づいて、前記入力信号の高域信号を推定により得るためのデータが生成され、前記入力信号の低域信号が符号化されて低域符号化データが生成され、前記データと前記低域符号化データとが多重化されて出力符号列が生成される。
本技術の第２の側面の復号装置は、入力信号の高域側の第１のサブバンドの第１のサブバンドパワーのうち、より大きい前記第１のサブバンドパワーにより大きな重みがかかる演算が行なわれて、連続するいくつかの前記第１のサブバンドからなる第２のサブバンドの信号の第２のサブバンドパワーが算出され、前記第２のサブバンドパワーに基づいて生成された、前記入力信号の高域信号を推定により得るためのデータと、前記入力信号の低域信号を符号化して得られた低域符号化データとに、入力符号列を非多重化する非多重化部と、前記低域符号化データを復号して低域信号を生成する低域復号部と、前記データから得られた推定係数と、前記復号で得られた低域信号とに基づいて高域信号を生成する高域信号生成部と、生成された高域信号と、前記復号で得られた低域信号とに基づいて出力信号を生成する合成部とを備える。
前記高域信号生成部には、前記復号で得られた低域信号から得られた特徴量と前記推定係数とに基づいて、前記第２のサブバンドパワーの推定値を算出させ、前記第２のサブバンドパワーの推定値と前記復号で得られた低域信号とに基づいて高域信号を生成させることができる。
復号装置には、前記データを復号して前記推定係数を得る高域復号部をさらに設けることができる。
前記入力信号または前記入力信号の低域信号から得られる特徴量に基づいて、前記第２のサブバンドパワーの推定値である擬似高域サブバンドパワーが算出され、前記第２のサブバンドパワーと前記擬似高域サブバンドパワーとが比較されて、前記データが生成されるようにすることができる。
前記入力信号または前記入力信号の低域信号から得られた特徴量と、予め用意された前記推定係数とに基づいて前記擬似高域サブバンドパワーが算出され、複数の前記推定係数のうちの何れかを得るための前記データが生成されるようにすることができる。
前記第１のサブバンドパワーのｍ乗値の平均値を１／ｍ乗することにより前記第２のサブバンドパワーが算出されるようにすることができる。
前記第１のサブバンドパワーが大きいほどより値が大きくなる重みを用いて、前記第１のサブバンドパワーの重み付き平均値を求めることにより前記第２のサブバンドパワーが算出されるようにすることができる。
本技術の第２の側面の復号方法またはプログラムは、入力信号の高域側の第１のサブバンドの第１のサブバンドパワーのうち、より大きい前記第１のサブバンドパワーにより大きな重みがかかる演算が行なわれて、連続するいくつかの前記第１のサブバンドからなる第２のサブバンドの信号の第２のサブバンドパワーが算出され、前記第２のサブバンドパワーに基づいて生成された、前記入力信号の高域信号を推定により得るためのデータと、前記入力信号の低域信号を符号化して得られた低域符号化データとに、入力符号列を非多重化し、前記低域符号化データを復号して低域信号を生成し、前記データから得られた推定係数と、前記復号で得られた低域信号とに基づいて高域信号を生成し、生成された高域信号と、前記復号で得られた低域信号とに基づいて出力信号を生成するステップを含む。
本技術の第２の側面においては、入力信号の高域側の第１のサブバンドの第１のサブバンドパワーのうち、より大きい前記第１のサブバンドパワーにより大きな重みがかかる演算が行なわれて、連続するいくつかの前記第１のサブバンドからなる第２のサブバンドの信号の第２のサブバンドパワーが算出され、前記第２のサブバンドパワーに基づいて生成された、前記入力信号の高域信号を推定により得るためのデータと、前記入力信号の低域信号を符号化して得られた低域符号化データとに、入力符号列が非多重化され、前記低域符号化データが復号されて低域信号が生成され、前記データから得られた推定係数と、前記復号で得られた低域信号とに基づいて高域信号が生成され、生成された高域信号と、前記復号で得られた低域信号とに基づいて出力信号が生成される。
【手続補正７】
【補正対象書類名】明細書
【補正対象項目名】００１６
【補正方法】変更
【補正の内容】
【００１６】
本技術の第１の側面および第２の側面によれば、音質を向上させることができる。